(57)【要約】【課題】トナーコンテナが本体ハウジングに装着された状態において、現像装置が本体ハウジングから取り外されることを防止する。【解決手段】画像形成装置１００は、本体ハウジング２００の前面壁２２０側から現像装置４００が取り出される一方、後面壁２１０側からトナーコンテナ３００が取り出されるユニットレイアウトが採用されている。トナーコンテナ３００及び現像装置４００が共に本体ハウジング２００に装着されている状態においては、現像装置４００の所定の着脱経路に沿った本体ハウジング２００からの取り外しが、トナーコンテナ３００と現像装置４００との干渉によって阻止される。すなわち、現像装置４００を本体ハウジング２００から取り出そうとしても、現像装置４００とトナーコンテナ３００とが干渉するので、先にトナーコンテナ３００を取り出しでおかないと、現像装置４００を取り出すことができない。【選択図】図５
2014157244.tif 000002
【特許請求の範囲】
【請求項１】
第１面と、該第１面とは異なる箇所に位置する第２面とを有する本体ハウジングと、
前記本体ハウジングに収容され、静電潜像が形成される周面を備える像担持体と、
前記第１面を通して前記本体ハウジングに着脱可能に収容され、前記静電潜像に現像剤を供給し、前記静電潜像を現像する現像装置と、
前記現像装置が前記第１面を通して前記本体ハウジングに着脱される際に、前記現像装置の一部をガイドすることによって、前記現像装置を所定の着脱経路に沿って前記本体ハウジングに着脱させるガイド部と、
前記第２面を通して前記本体ハウジングに着脱可能に収容され、前記現像装置に前記現像剤を供給する現像剤収容容器と、を備え、
前記現像剤収容容器が前記本体ハウジングに装着された状態において、前記現像装置の前記着脱経路に沿った前記本体ハウジングからの取り外しが、前記現像剤収容容器と前記現像装置との干渉によって阻止される、画像形成装置。
【請求項２】
請求項１に記載の画像形成装置において、
前記本体ハウジングは箱形のハウジングからなり、前記第１面は当該ハウジングの１つの側面であり、前記第２面は前記第１面と対向する側面であって、
前記本体ハウジングへの装着状態において、前記現像剤収容容器は前記現像装置の上方に位置し、
前記ガイド部による着脱経路は、前記現像装置が前記本体ハウジングから取り外される際に、前記現像装置を上方に持ち上げ、その後に水平方向に向かわせて前記第１面を通して前記本体ハウジングの外部へ至らせる経路である、画像形成装置。
【請求項３】
請求項２に記載の画像形成装置において、
前記本体ハウジングは、さらに前記第１面及び第２面と直交し互いに対向する側面である第３面及び第４面を備え、
前記現像装置は、前記第３面及び第４面が対向する方向に延びる回転軸を有する現像ローラーと、該現像ローラーを収容する現像ハウジングと、該現像ハウジングの前記第３面及び第４面と各々対向する側面にそれぞれ設けられた被ガイド部材と、を備え、
前記ガイド部は、前記第３面及び第４面の内側にそれぞれ設けられ、前記被ガイド部材がそれぞれ係合される、画像形成装置。
【請求項４】
請求項３に記載の画像形成装置において、
前記被ガイド部材は、前記現像ハウジングの前記第３面及び第４面と各々対向する側面から突設された突起部であり、
前記ガイド部は、前記突起部が嵌め込まれるガイドレールであって、底部を有し上方向に延びる第１ガイド部と、この第１ガイド部に連なり前記第１面の方向に延びる第２ガイド部とを備える、画像形成装置。
【請求項５】
請求項４に記載の画像形成装置において、
前記突起部は、円柱突起部であり、
前記ガイドレールの前記底部に前記円柱突起部が支持された状態で、前記現像装置は前記円柱突起部の軸回りに回動可能であって、
前記現像装置を、前記像担持体に前記現像ローラーが接近する方向に付勢する付勢部材をさらに備える、画像形成装置。
【請求項６】
請求項４又は５に記載の画像形成装置において、
前記ガイドレールの前記底部に支持された状態の前記円柱突起部を、位置決めのために押圧する押圧部材をさらに備える、画像形成装置。
【請求項７】
請求項３〜６のいずれか１項に記載の画像形成装置において、
前記現像剤収容容器は、現像剤の貯留空間となる容器本体と、該容器本体の下面に備えられた現像剤の排出口と、前記容器本体の内部に収容され現像剤を前記排出口に向けて搬送する回転部材と、を含み、
前記現像ハウジングは上面に現像剤を受け入れる受入口を備え、前記排出口と前記受入口とは、前記現像剤収容容器及び前記現像装置が前記本体ハウジングに装着された状態において、上下方向に重なるものであり、
前記現像装置の前記現像剤収容容器と干渉する部位は、前記受入口の周辺部位である、画像形成装置。
【請求項８】
請求項７に記載の画像形成装置において、
前記現像剤収容容器は、前記現像ローラーの回転軸と前記回転部材の回転軸とが直交する方向において、前記本体ハウジングに対して着脱される、画像形成装置。
【発明の詳細な説明】
【技術分野】
【０００１】
本発明は、現像装置と該現像装置に現像剤を供給する現像剤収容容器とが、本体ハウジングの異なる面から各々取り外される画像形成装置に関する。
【背景技術】
【０００２】
プリンターや複写機等の画像形成装置は、感光体ドラム上に形成された静電潜像に現像剤（トナー）を供給する現像装置と、該現像装置に現像剤を補給する現像剤収容容器（トナーコンテナ）とを備える。これら現像装置及び現像剤収容容器は、画像形成装置の本体ハウジングに、ユーザーが着脱自在な状態で装着される（例えば特許文献１参照）。例えば、現像剤収容容器内の現像剤残量が乏しくなった場合には、新たな現像剤収容容器との交換のために既装着のものが本体ハウジングから取り出される。また、現像装置についても、新品との交換やジャム処理のために本体ハウジングから取り出される場合がある。
【先行技術文献】
【特許文献】
【０００３】
【特許文献１】特開平８−２２０８５９号公報
【発明の概要】
【発明が解決しようとする課題】
【０００４】
例えば機器類を高密度に配置する必要がある小型の画像形成装置においては、現像装置と現像剤収容容器とが、それぞれ個別に本体ハウジングから取り出し可能となる機内レイアウトが採用される場合がある。その一例は、本体ハウジングの前面側から現像装置が取り出される一方、後面側から現像剤収容容器が取り出されるレイアウトである。
【０００５】
上記レイアウトが採用された画像形成装置においては、現像剤収容容器が本体ハウジングに装着された状態であるにも拘わらず、現像装置が本体ハウジングから取り出される場合が想定される。この場合、現像剤収容容器の現像剤排出口から現像剤が飛散し、本体ハウジング内乃至は画像形成装置周辺を汚染する不具合が生じる。
【０００６】
本発明は上記問題に鑑みてなされたものであり、現像装置の本体ハウジングからの取り出しを適切に行わせることができる画像形成装置を提供することを目的とする。
【課題を解決するための手段】
【０００７】
本発明の一局面に係る画像形成装置は、第１面と、該第１面とは異なる箇所に位置する第２面とを有する本体ハウジングと、前記本体ハウジングに収容され、静電潜像が形成される周面を備える像担持体と、前記第１面を通して前記本体ハウジングに着脱可能に収容され、前記静電潜像に現像剤を供給し、前記静電潜像を現像する現像装置と、前記現像装置が前記第１面を通して前記本体ハウジングに着脱される際に、前記現像装置の一部をガイドすることによって、前記現像装置を所定の着脱経路に沿って前記本体ハウジングに着脱させるガイド部と、前記第２面を通して前記本体ハウジングに着脱可能に収容され、前記現像装置に前記現像剤を供給する現像剤収容容器と、を備え、前記現像剤収容容器が前記本体ハウジングに装着された状態において、前記現像装置の前記着脱経路に沿った前記本体ハウジングからの取り外しが、前記現像剤収容容器と前記現像装置との干渉によって阻止される。
【０００８】
この構成によれば、現像装置は前記第１面を通して、現像剤収容容器は前記第２面を通して、それぞれ個別に本体ハウジングから取り出される。しかし、前記現像剤収容容器が前記本体ハウジングに装着された状態においては、ユーザーは、前記現像装置を前記着脱経路に沿って本体ハウジングから取り出そうとしても、前記現像装置は前記現像剤収容容器と干渉するので、取り出すことができない。従って、現像剤収容容器が本体ハウジングに装着された状態であるにも拘わらず、現像装置が本体ハウジングから取り出されるという事態を未然に防止することができる。
【０００９】
上記構成において、前記本体ハウジングは箱形のハウジングからなり、前記第１面は当該ハウジングの１つの側面であり、前記第２面は前記第１面と対向する側面であって、前記本体ハウジングへの装着状態において、前記現像剤収容容器は前記現像装置の上方に位置し、前記ガイド部による着脱経路は、前記現像装置が前記本体ハウジングから取り外される際に、前記現像装置を上方に持ち上げ、その後に水平方向に向かわせて前記第１面を通して前記本体ハウジングの外部へ至らせる経路であることが望ましい。
【００１０】
この構成によれば、前記現像剤収容容器が前記現像装置の上方に位置し、前記着脱経路が前記現像装置を上方に持ち上げを要する経路を含むので、前記現像装置が前記本体ハウジングから取り外される際に、両者を確実に干渉させることができる。
【００１１】
この場合、前記本体ハウジングは、さらに前記第１面及び第２面と直交し互いに対向する側面である第３面及び第４面を備え、前記現像装置は、前記第３面及び第４面が対向する方向に延びる回転軸を有する現像ローラーと、該現像ローラーを収容する現像ハウジングと、該現像ハウジングの前記第３面及び第４面と各々対向する側面にそれぞれ設けられた被ガイド部材と、を備え、前記ガイド部は、前記第３面及び第４面の内側にそれぞれ設けられ、前記被ガイド部材がそれぞれ係合されることが望ましい。
【００１２】
この構成によれば、現像ハウジングの両側面に設けられた被ガイド部が、前記第３面及び第４面の内側にそれぞれ設けられたガイド部材によってガイドされるので、前記現像装置の前記本体ハウジングに対する着脱を安定的に行わせることができる。
【００１３】
また、前記被ガイド部材は、前記現像ハウジングの前記第３面及び第４面と各々対向する側面から突設された突起部であり、前記ガイド部は、前記突起部が嵌め込まれるガイドレールであって、底部を有し上方向に延びる第１ガイド部と、この第１ガイド部に連なり前記第１面の方向に延びる第２ガイド部とを備えることが望ましい。
【００１４】
この構成によれば、前記現像装置が前記本体ハウジングから取り外される際、前記底部に接している前記突起部が先ず第１ガイド部に沿って上方向にガイドされ、次いで第２ガイド部に沿って横方向にガイドされ、前記本体ハウジングの外に取り出されることとなる。従って、前記現像装置を上方に持ち上げを要する着脱経路を、簡易な構成で形成することができる。
【００１５】
この場合、前記突起部は、円柱突起部であり、前記ガイドレールの前記底部に前記円柱突起部が支持された状態で、前記現像装置は前記円柱突起部の軸回りに回動可能であって、前記現像装置を、前記像担持体に前記現像ローラーが接近する方向に付勢する付勢部材をさらに備えることが望ましい。
【００１６】
この構成によれば、前記円柱突起部を回動支点として現像装置を回動させることができることを利用して、前記像担持体に対する前記現像ローラーの位置が安定するよう、前記現像装置を付勢することが可能となる。
【００１７】
上記構成において、前記ガイドレールの前記底部に支持された状態の前記円柱突起部を、位置決めのために押圧する押圧部材をさらに備えることが望ましい。この構成によれば、前記現像装置の本体ハウジングに装着された状態における位置決めを確実に行うことができる。
【００１８】
上記構成において、前記現像剤収容容器は、現像剤の貯留空間となる容器本体と、該容器本体の下面に備えられた現像剤の排出口と、前記容器本体の内部に収容され現像剤を前記排出口に向けて搬送する回転部材と、を含み、前記現像ハウジングは上面に現像剤を受け入れる受入口を備え、前記排出口と前記受入口とは、前記現像剤収容容器及び前記現像装置が前記本体ハウジングに装着された状態において、上下方向に重なるものであり、前記現像装置の前記現像剤収容容器と干渉する部位は、前記受入口の周辺部位であることが望ましい。
【００１９】
この構成によれば、現像剤補給のために不可避的に上下方向に積重させねばならない部分を、前記現像装置と前記現像剤収容容器との干渉部位とすることができるので、干渉部を別途設計する必要が無い。
【００２０】
この場合、前記現像剤収容容器は、前記現像ローラーの回転軸と前記回転部材の回転軸とが直交する方向において、前記本体ハウジングに対して着脱されることが望ましい。
【発明の効果】
【００２１】
本発明によれば、現像剤収容容器が本体ハウジングに装着された状態において、現像装置が本体ハウジングから取り外されることを防止することができる。従って、現像剤収容容器の現像剤排出口から現像剤が飛散し、本体ハウジング内乃至は画像形成装置周辺を汚染する不具合を未然に防ぐことができる。
【図面の簡単な説明】
【００２２】
【図１】本発明の一実施形態に係る画像形成装置の外観を示す斜視図である。
【図２】後カバーが取り外された状態の画像形成装置の外観を示す斜視図である。
【図３】後カバー及びトナーコンテナが取り外された状態の画像形成装置の外観を示す斜視図である。
【図４】上記画像形成装置の内部構造を概略的に示す断面図である。
【図５】前記画像形成装置の本体ハウジング内に、ドラムユニット、現像装置及びトナーコンテナが組み付けられた状態を示す側断面図である。
【図６】現像装置の斜視図である。
【図７】現像装置の内部構造を示す平面図である。
【図８】現像装置とトナーコンテナとの連結部周辺の断面図である。
【図９】トナーコンテナの斜視図である。
【図１０】図９と視線方向を１８０度変えた、トナーコンテナの斜視図である。
【図１１】前記本体ハウジング内に、現像装置だけが組み付けられた状態を示す側断面図である。
【図１２】各ユニットが取り外された状態の本体ハウジングを示す斜視図である。
【図１３】本体ハウジングのガイド部の拡大図である。
【図１４】本体ハウジングのガイド部の拡大図であって、現像装置の付勢機構を追記した図である。
【発明を実施するための形態】
【００２３】
以下、図面に基づいて、本発明の実施形態につき詳細に説明する。図１は、本発明の一実施形態に係る画像形成装置１００の外観を示す斜視図、図２は本体ハウジング２００から後カバー２１１が取り外された状態を、図３はさらにトナーコンテナ３００が取り外された状態を示す斜視図である。ここでは、画像形成装置１００としてモノクロプリンターを例示するが、画像形成装置は、複写機、ファクシミリ装置、或いは、これらの機能を備える複合機であってもよく、またカラー画像を形成する画像形成装置であっても良い。
【００２４】
画像形成装置１００は、シートに画像を形成するための様々な装置（例えば、感光体ドラム、現像装置及びトナーコンテナ等）を収容する収容空間を規定する本体ハウジング２００を備える。本体ハウジング２００は、略直方体形状の箱形のハウジング形状を有し、後面壁２１０（第２面）と、後面壁２１０と対向する前面壁２２０（第１面）と、後面壁２１０及び前面壁２２０と直交し互いに対向する左面壁２３０（第３面）及び右面壁２４０（第４面）と、本体ハウジング２００の据え付け面となる底面壁と、本体ハウジング２００の上面を構成する天面壁２５０とを含む。本体ハウジング２００の底部付近には、画像形成処理が施されるシートを収容する給紙部２６０が備えられている。
【００２５】
本体ハウジング２００の天面壁２５０には、画像形成処理後のシートが排出される排出トレイ２５１が備えられている。排出トレイ２５１は、前下がりの傾斜壁からなり、その前縁部から排出壁２５２が直立している。排出壁２５２には、シートを排出するための排出口２５３が形成されている。排出口２５３から排出されたシートは、排出トレイ２５１の上に蓄積される。
【００２６】
後面壁２１０には、本体ハウジング２００に対して開放可能な後カバー２１１が、その上部付近に取り付けられている。ユーザーは、後カバー２１１を取り外し、本体ハウジング２００内に配設された様々な機器にアクセスすることができる。
【００２７】
図２及び図３を参照して、画像形成装置１００は、後述の現像装置４００にトナー（現像剤）を供給するトナーコンテナ３００（現像剤収容容器）と、画像形成に用いられなかった廃トナーを画像形成部から回収するトナー回収コンテナ５００と、これらコンテナ３００、５００を含む画像を形成するための他のユニットを支持する内部フレーム２８０と、を更に備える。
【００２８】
後カバー２１１が本体ハウジング２００に対して開放されることで、トナーコンテナ３００は露出する。ユーザーは、トナーコンテナ３００内のトナーが消費された場合、トナーコンテナ３００を本体ハウジング２００から取り外し、新たなトナーコンテナ３００を装着することができる。つまり、トナーコンテナ３００は、後面壁２１０を通して着脱可能に、本体ハウジング２００に収容されている。図３に示すように、内部フレーム２８０には、トナーコンテナ３００を本体ハウジング２００内に挿入するための挿入口２８１が設けられ、その奥部にはトナーコンテナ３００の収容空間２９０が形成されている。なお、トナー回収コンテナ５００も、同様に後面壁２１０を通して、本体ハウジング２００に対して着脱可能である。
【００２９】
次いで、画像形成装置１００の内部構造について説明する。図４は、画像形成装置１００の内部構造を概略的に示す断面図である。画像形成装置１００は、上述のトナーコンテナ３００及びトナー回収コンテナ５００に加え、本体ハウジング２００内に収容される給紙部２６０、画像形成部７００及び定着部８００を含む。
【００３０】
給紙部２６０は、画像形成処理が施されるシートを収容する給紙カセット２６１を含む。この給紙カセット２６１は、その一部が本体ハウジング２００の後面壁２１０からさらに後方に突出している。給紙カセット２６１は、前記シートの束が収容されるシート収容空間２６２と、前記シートの束を給紙のためにリフトアップするリフト板２６３とを含む。給紙カセット２６１の前端側の上部が、シートの繰出部となる。この繰出部には、給紙カセット２６１内のシート束の最上層のシートを１枚ずつ繰り出すための給紙ローラー６１０が配置されている。リフト板２６３によって押し上げられたシートの先頭縁が給紙ローラー６１０に接触し、給紙ローラー６１０の回転によってシートが繰り出される。
【００３１】
画像形成部７００は、給紙部２６０から送り出されるシートにトナー画像を形成する画像形成処理を行う。画像形成部７００は、感光体ドラム７１０（像担持体）と、この感光体ドラム７１０の周囲に配置された、帯電装置７２０、露光装置７３０、現像装置４００、転写ローラー７４０及びクリーニング装置７５０とを含む。
【００３２】
感光体ドラム７１０は、その軸回りに回転する円筒体であって、静電潜像及びトナー像が形成される周面を備える。感光体ドラム７１０としては、アモルファスシリコン（ａ−Ｓｉ）系材料を用いた感光体ドラムを用いることができる。帯電装置７２０は、感光体ドラム７１０の表面を均一に帯電するものであって、感光体ドラム７１０に当接する帯電ローラーを含む。露光装置７３０は、レーザー光源とミラーやレンズ等の光学系機器とを有し、感光体ドラム７１０の周面に、パーソナルコンピューター等の外部装置から与えられる画像データに基づいて変調された光を照射して、静電潜像を形成する。なお、実際の露光装置７３０は図１には描かれておらず、露光位置に相当する箇所に符号７３０が付されている。
【００３３】
現像装置４００は、感光体ドラム７１０上の前記静電潜像を現像してトナー像を形成するために、感光体ドラム７１０の周面にトナーを供給する。現像装置４００は、現像ハウジング４１０と、現像ハウジング４１０の開口部に配置され感光体ドラム７１０に供給するトナーを担持する現像ローラー４２０と、現像ハウジング４１０の内部で現像剤を攪拌しながら循環搬送する第１搬送スクリュー４４１及び第２搬送スクリュー４４２とを含む。この現像装置４００については、後記で詳述する。
【００３４】
転写ローラー７４０は、感光体ドラム７１０の周面に形成されたトナー像をシート上に転写させるためのローラーであって、感光体ドラム７１０と転写ニップ部を形成している。この転写ローラー７４０には、トナーと逆極性の転写バイアスが与えられる。クリーニング装置７５０は、クリーニングローラー等を有し、トナー像転写後の感光体ドラム７１０の周面を清掃する。
【００３５】
定着部８００は、転写されたトナー像をシート上に定着する定着処理を行う。定着部８００は、加熱源を内部に備えた定着ローラー８１０と、この定着ローラー８１０に対して圧接され、定着ローラー８１０との間に定着ニップ部を形成する加圧ローラー８２０とを含む。トナー像が転写されたシートが前記定着ニップ部に通紙されると、トナー像は、定着ローラー８１０による加熱および加圧ローラー８２０による押圧により、シート上に定着される。
【００３６】
トナーコンテナ３００は、現像装置４００に補給するトナー（現像剤）を貯留する。トナーコンテナ３００は、トナーの貯留空間３１１を画定するコンテナ本体３１０と、コンテナ本体３１０の内部に収容されトナーを搬送する回転部材３２０とを含む。トナーコンテナ３００内に貯留されたトナーは、回転部材３２０が回転駆動されることによって、トナー排出口３１９（図８）から現像装置４００内に供給される。このトナーコンテナ３００についても、後記で詳述する。
【００３７】
本体ハウジング２００内には、シートを搬送するために、主搬送路６１Ａ及び反転搬送路６１Ｂが備えられている。主搬送路６１Ａは、給紙部２６０から画像形成部７００及び定着部８００を経由して、本体ハウジング２００上面の排出口２５３まで延びている。反転搬送路６１Ｂは、シートに対して両面印刷を行う場合に、片面印刷されたシートを主搬送路６１Ａにおける画像形成部７００の上流側に戻すための搬送路である。
【００３８】
主搬送路６１Ａの、前記転写ニップ部よりも上流側には、レジストローラー対６２０が配置されている。シートは、レジストローラー対６２０にて一旦停止され、スキュー矯正が行われた後、画像転写のための所定のタイミングで、前記転写ニップ部に送り出される。主搬送路６１Ａ及び反転搬送路６１Ｂの適所には、シートを搬送するための搬送ローラーが複数配置されている。例えば、排出口２５３の近傍には、排紙ローラー対６３０が配置されている。
【００３９】
反転搬送路６１Ｂは、反転ユニット６４０の外側面と、本体ハウジング２００の前カバー２２１の内面との間に形成されている。反転ユニット６４０の内側面には、転写ローラー７４０及びレジストローラー対６２０の一方のローラーが搭載されている。前カバー２２１及び反転ユニット６４０は、それらの下端に設けられた支点部２２２の軸回りに各々回動可能である。反転搬送路６１Ｂにおいてシートジャムが発生した場合、前カバー２２１が開放される。主搬送路６１Ａでシートジャムが発生した場合、或いは感光体ドラム７１０を含むドラムユニット７００Ｕや現像装置４００が外部に取り出される場合には、前カバー２２１に加えて反転ユニット６４０も開放される。
【００４０】
続いて、現像装置４００及びトナーコンテナ３００の配置関係、並びにこれらの構造について説明する。図５は、本体ハウジング２００の内部フレーム２８０にドラムユニット７００Ｕ、現像装置４００及びトナーコンテナ３００が組み付けられた状態を示す側断面図である。現像装置４００は、現像ローラー４２０の回転軸が左右方向（図１〜図３に示す、左面壁２３０（第３面）及び右面壁２４０（第４面）が対向する方向）に延びるように、本体ハウジング２００内に装着されている。つまり、現像装置４００は、左右方向に長手のユニットである。トナーコンテナ３００は、その回転部材３２０の回転軸が前後方向に延びるように、本体ハウジング２００内に装着されている。つまり、トナーコンテナ３００は前後方向に長手のユニットである。なお、ドラムユニット７００Ｕは、上述の感光体ドラム７１０、帯電装置７２０及びクリーニング装置７５０が一体化されたユニットである。
【００４１】
上述の通り、現像装置４００は本体ハウジング２００の前面壁２２０（第１面）を通して、本体ハウジング２００に着脱される。ドラムユニット７００Ｕも同様である。一方、トナーコンテナ３００は、本体ハウジング２００の後面壁２１０（第２面）を通して、本体ハウジング２００に着脱される。本体ハウジング２００への装着状態において、トナーコンテナ３００は、現像装置４００の上方に位置し、現像ローラー４２０の回転軸に対して回転部材３２０の回転軸が直交する方向において、現像装置４００に対して組み付けられている。ドラムユニット７００Ｕは、感光体ドラム７１０の回転軸が現像ローラー４２０の回転軸と平行となるように、現像装置４００の上方に装着されている。
【００４２】
このように、本体ハウジング２００の前面壁２２０側から現像装置４００が取り出される一方、後面壁２１０側からトナーコンテナ３００が取り出されるユニットレイアウトが採用された画像形成装置１００においては、トナーコンテナ３００が本体ハウジング２００に装着された状態であるにも拘わらず、現像装置４００が本体ハウジング２００から取り出される場合が想定される。つまり、トナーコンテナ３００の一部が現像装置４００の上に覆い被さっている状態ではあるものの、ドラムユニット７００Ｕを取り外した上で現像装置４００を強く前方に水平移動させる力を与えれば、当該現像装置４００が引き出されてしまうことがある。この場合、トナーコンテナ３００のトナー排出口３１９から現像剤が飛散し、本体ハウジング２００内乃至は画像形成装置１００の周辺を汚染する不具合が生じる。
【００４３】
上記の点に鑑みて、本実施形態では、トナーコンテナ３００及び現像装置４００が共に本体ハウジング２００に装着されている状態においては、現像装置４００の所定の着脱経路に沿った本体ハウジング２００からの取り外しが、トナーコンテナ３００と現像装置４００との干渉によって阻止される構成とされている。以下、現像装置４００及びトナーコンテナ３００の構成を詳細に説明した上で、前記干渉のための構成を詳細に説明する。
【００４４】
図６は、現像装置４００の単体の斜視図、図７は、現像装置４００の内部構造を示す平面図である。現像装置４００は、現像ローラー４２０の軸方向に長尺の箱形形状を有する現像ハウジング４１０を備える。現像ハウジング４１０は、前方の上面に、その長手方向に延びる開口部が形成されている。該開口部から、現像ローラー４２０の周面の一部が露呈している。
【００４５】
現像ハウジング４１０の左側面４１Ｌ及び右側面４１Ｒ（本体ハウジング２００の左面壁２３０及び右面壁２４０と各々対向する側面）には、それぞれ円柱突起部４１Ｐ（被ガイド部）が突設されている。これら円柱突起部４１Ｐは、現像装置４００が本体ハウジング２００に対して着脱される際に、本体ハウジング２００に備えられているガイド部９００によってガイドされる部分である。円柱突起部４１Ｐは、左側面４１Ｌ及び右側面４１Ｒの、前後方向及び上下方向の中央付近において、外方に延出するように突設されている。なお、後記で説明するが、円柱突起部４１Ｐは、現像装置４００を回動させるための回動支点としての機能も果たす。
【００４６】
現像ハウジング４１０の左端付近の上面には、トナーコンテナ３００から供給されるトナーを当該ハウジング内に受け入れるためのトナー補給口４１１（受入口）が開口されている。図８に拡大して示すように、このトナー補給口４１１と、トナーコンテナ３００のトナー排出口３１９（排出口）とが上下方向に重なるように、現像装置４００とトナーコンテナ３００とが組み付けられる。
【００４７】
現像ハウジング４１０の上面には、トナー補給口４１１を開閉するためのシャッター機構４５０が備えられている。シャッター機構４５０は、左右方向にスライド移動が可能なシャッター部材４５１を含む。シャッター部材４５１は、トナー補給口４１１を覆う閉止姿勢と、右方にスライドしてトナー補給口４１１を開放する開放姿勢（図６はこの開放姿勢の状態を示す）との間で姿勢変更が可能である。シャッター機構４５０は、シャッター部材４５１を常時左方向（閉止姿勢の方向）に付勢するコイルバネ４５２を更に備える。トナーコンテナ３００が現像装置４００に装着された状態では、トナーコンテナ３００とシャッター部材４５１とが干渉し、シャッター部材４５１はコイルバネ４５２の付勢に抗して右方に移動し、開放姿勢となる。ここで、シャッター部材４５１の後方に突設されている傾斜部４５３と、シャッター部材４５１の左縁部とが、トナーコンテナ３００（押圧部３１４）と実際に干渉する部分となる。
【００４８】
図７を参照して、現像ハウジング４１０は内部空間４３０を備える。二成分現像方式の場合、この内部空間４３０には、トナーとキャリアとからなる現像剤が充填される。キャリアは、内部空間４３０においてトナーと攪拌混合されトナーを帯電させると共に、トナーを現像ローラー４２０まで搬送する。トナーは、逐次現像ローラー４２０に供給されて消費され、その消費分はトナーコンテナ３００から適宜供給される。
【００４９】
現像ハウジング４１０の内部空間４３０は、左右方向に延びる仕切り板４１２によって、左右方向に長尺の第１通路４３１と第２通路４３２とに区画されている。仕切り板４１２は、現像ハウジング４１０の左右方向幅よりも短く、仕切り板４１２の右端及び左端には、第１通路４３１と第２通路４３２とをそれぞれ連通させる第１連通部４３３及び第２連通部４３４が備えられている。これにより、現像ハウジング４１０の内部には、第１通路４３１、第１連通部４３３、第２通路４３２及び第２連通部４３４に至る循環経路が形成されている。
【００５０】
上述のトナー補給口４１１は、第１通路４３１の左端付近の上方に配置されている。第１通路４３１には第１搬送スクリュー４４１が収容され、第２通路４３２には第２搬送スクリュー４４２が収容されている。第１、第２搬送スクリュー４４１、４４２は、それぞれシャフトと、このシャフトの周上にスパイラル状に突設された羽根部材とを含む。第１搬送スクリュー４４１は、シャフト回りに回転駆動されることで、図７の矢印ａ方向に現像剤を搬送する。一方、第２搬送スクリュー４４２は、シャフト回りに回転駆動されることで、矢印ｂ方向に現像剤を搬送する。
【００５１】
第１、第２搬送スクリュー４４１、４４２が回転駆動されることで、上述の循環経路に沿って現像剤が循環搬送される。トナー補給口４１１から新たに補給されたトナーについて説明すると、当該トナーは第１通路４３１に落下して既存の現像剤と混合され、第１搬送スクリュー４４１により矢印ａ方向に搬送される。この際、トナーはキャリアと攪拌され、帯電される。次いでトナーは、第１通路４３１の下流端から第１連通部４３３を経て第２通路４３２に入り、第２搬送スクリュー４４２によって矢印ｂ方向に搬送される。この搬送の際、トナーは同様に帯電される一方で、一部が現像ローラー４２０の周面に供給される。そして、残部のトナーとキャリアとは、第２連通部４３４を経て、第１通路４３１の上流端に戻される。
【００５２】
図９は、トナーコンテナ３００の斜視図であり、図１０は、図９と視線方向を１８０度変えた、トナーコンテナ３００の斜視図である。トナーコンテナ３００のコンテナ本体３１０（容器本体）は、トナーの貯留空間である。コンテナ本体３１０は、比較的大きな容積を有しトナーの大部分が収容される主収容部３１２と、主収容部３１２の下部から突設された筒状部３１３とを含む。筒状部３１３の突設先端付近の下面（容器本体の下面）に、先述のトナー排出口３１９（図５、図８）が設けられている。図４及び図５に示されている回転部材３２０は、主収容部３１２の底部から筒状部３１３に亘って配設され、回転部材３２０の回転によって、トナーは主収容部３１２から筒状部３１３のトナー排出口３１９に向けて搬送される。
【００５３】
トナー排出口３１９を開閉するために、筒状部３１３の下部にはコンテナシャッター３３０が組み付けられている。コンテナシャッター３３０は、図略の付勢部材により常時トナー排出口３１９を塞ぐよう、筒状部３１３の突設先端方向に付勢されている。一方、トナーコンテナ３００が現像装置４００に装着される際、コンテナシャッター３３０は、現像ハウジング４１０のトナー補給口４１１付近の後縁部４１３（図６参照）と干渉して、トナー排出口３１９を開放するようにスライド移動する。
【００５４】
筒状部３１３の突設先端には、二等辺三角形の形状を有する押圧部３１４が一体的に取り付けられている。押圧部３１４は、最も突出長が長い部分である突出先端３１６と、この突出先端３１６の両側に位置する傾斜面３１５とを備える。押圧部３１４は、トナーコンテナ３００が本体ハウジング２００に装着される際、その突出先端３１６が最も早く現像装置４００のシャッター部材４５１に接触する。そして、傾斜面３１５がシャッター部材４５１の傾斜部４５３と接触し、トナーコンテナ３００の前方への進行に従って、コイルバネ４５２の付勢力に抗してシャッター部材４５１を徐々に前記開放姿勢に姿勢変更させる。さらに、前記前方への進行が進むと、筒状部３１３の下部側縁がシャッター部材４５１と接触し、シャッター部材４５１を前記開放姿勢のままに維持する。
【００５５】
このように、現像装置４００のトナー補給口４１１が開かれるタイミングは、トナーコンテナ３００のトナー排出口３１９が開かれるタイミングよりも早くなる。従って、トナーコンテナ３００内のトナーは、現像装置４００の外に漏出しにくくなる。トナーコンテナ３００が、本体ハウジング２００に対して後方へ引き抜かれる際、上記と反対の動作を行われる。すなわち、筒状部３１３の下部側縁及び押圧部３１４による、シャッター部材４５１の右方への押圧が解除され、シャッター部材４５１は閉止姿勢に移動する。その後、コンテナシャッター３３０が閉じられる。
【００５６】
図１１は、本体ハウジング２００内に、現像装置４００だけが組み付けられた状態を示す側断面図、図１２は、各ユニットが取り外された状態の本体ハウジング２００を示す斜視図である。本体ハウジング２００の左面壁２３０及び右面壁２４０の内側の内部フレーム２８０には、ガイド部９００がそれぞれ設けられている（図１２では右面壁２４０側だけが現れている）。
【００５７】
左右のガイド部９００は、現像装置４００が前面壁２２０を通して本体ハウジング２００に着脱される際に、現像装置４００の左右の円柱突起部４１Ｐ（現像装置の一部）を各々ガイドすることによって、現像装置４００を所定の着脱経路に沿って本体ハウジング２００に着脱させる。本実施形態では、ガイド部９００による前記着脱経路は、図１１に矢印Ａで示すように、現像装置４００が本体ハウジング２００から取り外される際に、現像装置を上方に持ち上げ（矢印Ａのａ１部分）、その後に水平方向（矢印Ａのａ２部分）に向かわせて、前面壁２２０を通して本体ハウジング２００の外部へ至らせる経路である。
【００５８】
本実施形態の画像形成装置１００においては、上述の通り、現像装置４００は、本体ハウジング２００の前面壁２２０を通して着脱されるのに対し、トナーコンテナ３００は、後面壁２１０を通して着脱される。これは、当該画像形成装置１００が、機器類を高密度に配置する必要がある小型の画像形成装置であり、機内レイアウト上の制限が課せられるからである。さらに、現像装置４００の直上にトナーコンテナ３００が載置される態様ではなく、両者が直交する態様で組み付けられるレイアウトである。
【００５９】
一般に、本体ハウジングからの取り外し順序は、先ずトナーコンテナが取り外され、その後、現像装置が取り外されるという順序とするべきである。通常、トナーコンテナには、現像装置への装着及び取り外しに連動してトナー排出口を開閉するコンテナシャッターが備えられているので、トナーコンテナを先に取り外すようにすればトナー排出口からのトナー飛散を防止できる。本実施形態のトナーコンテナ３００においても、そのようなコンテナシャッター３３０が備えられていることは、先述の通りである。しかし、上記のようなレイアウトにおいては、着脱される面が異なることから、トナーコンテナ３００を先ず本体ハウジング２００から取り外した上で、現像装置４００を本体ハウジング２００から取り外すという手順が、ユーザーにおいて採られ難くなる傾向がある。従って、トナーコンテナ３００が本体ハウジング２００に装着された状態にも拘わらず、現像装置４００が本体ハウジング２００の前面壁２２０から取り出される場合が想定される。この場合、トナーコンテナ３００のトナー排出口３１９から現像剤が飛散することになる。
【００６０】
このような不具合を防止するため、ガイド部９００による現像装置４００の前記着脱経路を、図１１に矢印Ａで示すような経路とすることで、トナーコンテナ３００が本体ハウジング２００（現像装置４００）に装着された状態のときに、現像装置４００が本体ハウジング２００から取り出せないようにしている。すなわち、トナーコンテナ３００が本体ハウジング２００に装着された状態では、現像装置４００のトナー補給口４１１の周辺の上方には、トナーコンテナ３００の筒状部３１３が位置している（図５参照）。一方、ガイド部９００による前記着脱経路は、現像装置４００を上方に持ち上げを要する経路ａ１を含むので、現像装置４００を本体ハウジング２００から取り出そうとしても、現像装置４００はトナーコンテナ３００と干渉するので、取り出すことができない。つまり、トナーコンテナ３００が現像装置４００の上方に位置し、前記着脱経路が現像装置４００を上方に持ち上げを要する経路ａ１を含むので、両者を確実に干渉させることができる。特に、トナー補給のために不可避的に上下方向に積重させねばならない部分を、現像装置４００とトナーコンテナ３００との干渉部位としているので、両者の干渉部分を別途設計する必要が無いという利点がある。
【００６１】
図１３は、ガイド部９００の拡大図である。ガイド部９００は、ガイドプレート９１０と、このガイドプレート９１０に形成され現像装置４００の円柱突起部４１Ｐが係合されるガイドレール部９２０（ガイドレール）とを備えている。ガイドレール部９２０は、底部９２１を有し上方向に延びる第１ガイド部Ｇ１と、この第１ガイド部Ｇ１に連なり前方（第１面の方向）に延びる第２ガイド部Ｇ２とからなる、略Ｌ字型のガイド空間Ｇ（着脱経路）を備えたレール部である。第２ガイド部Ｇ２の前方端は、ガイド空間Ｇの開口端である。
【００６２】
前記略Ｌ字型のスリット空間を形成するために、ガイドプレート９１０は、当該ガイドプレート９１０の後方付近において上方に突出した第１ガイド突起９１１と、中央付近において上方に突出した第２ガイド突起９１２とを備えている。第１ガイド突起９１１は、上方に延びる縦部分と、該縦部分の上端から前方へ横方向に延びる横部分とを備えた、略Ｌ字型の形状を備えている。この第１ガイド突起９１１は、前記縦部分において第１ガイド部Ｇ１の後縁９２２を、前記横部分において第２ガイド部Ｇ２の上縁９２３を区画している。第２ガイド突起９１２は、第１ガイド部Ｇ１の前縁９２４及び第２ガイド部Ｇ２の下縁９２５を区画している。前縁９２４は、後縁９２２に対して前方に所定間隔を置いて対向している。前縁９２４及び後縁９２２は、概ね互いに平行な縁部であり、共に垂直方向からやや前方に傾斜した縁部である。下縁９２５は、上縁９２３に対して下方に所定間隔を置いて対向する、やや前上がりの縁部である。底部９２１は、前縁９２４及び後縁９２２の下端同士を繋いでいる。
【００６３】
ガイドレール部９２０には、現像装置４００の円柱突起部４１Ｐを押圧して位置決めする押圧機構９３０が付設されている。押圧機構９３０は、ガイド空間Ｇに突出する押圧部材９３１と、この押圧部材９３１を付勢するコイルバネ９３２とを含む。押圧部材９３１は、水平壁９３１Ａ及びこれに連なる垂直壁９３１Ｂを備え、支持軸９３３によって回動自在とされたアーム９３４によって支持されている。つまり、押圧部材９３１は、支持軸９３３の軸回りに揺動自在である。図１３は、コイルバネ９３２が自由長の状態を示している。この状態では、水平壁９３１Ａは下縁９２５と概ね面一で、下縁９２５の後端に連なっている。垂直壁９３１Ｂは、第１ガイド部Ｇ１内に大きく突出している。押圧部材９３１にコイルバネ９３２のバネ力に抗する押圧力が加えられると、押圧部材９３１はコイルバネ９３２の軸方向に沿ってガイド空間Ｇから退避する。
【００６４】
現像装置４００の円柱突起部４１Ｐは、本体ハウジング２００への装着時、前方よりガイド空間Ｇの開口端を通して第２ガイド部Ｇ２へ進入し、当該第２ガイド部Ｇ２によって後方に向けて横方向にガイドされる。円柱突起部４１Ｐが下縁９２５の後端付近に至ると、円柱突起部４１Ｐは押圧部材９３１の水平壁９３１Ａを押下し始める。このとき、水平壁９３１Ａは円柱突起部４１Ｐをガイドするが、同時に押圧部材９３１は支持軸９３３の軸回りに時計方向に回動し、ガイド空間Ｇから退避する方向に移動する。
【００６５】
上縁９２３に円柱突起部４１Ｐが当接若しくは近接するまで前記進入が進むと、円柱突起部４１Ｐの第１ガイド部Ｇ１への進入を許容するように、押圧部材９３１は退行する。従って、円柱突起部４１Ｐは第１ガイド部Ｇ１に沿って下方にガイドされ、ついには底部９２１に当接し、支持される。このとき、円柱突起部４１Ｐによる押圧部材９３１の押圧状態は実質的に解消される。逆に、押圧部材９３１は第１ガイド部Ｇ１へある程度突出し、円柱突起部４１Ｐを後縁９２２に押し付けるように押圧する。これにより、現像装置４００が本体ハウジング２００に装着された状態における、円柱突起部４１Ｐ（現像装置４００）の位置決めを確実に実現することができる。
【００６６】
図１４は、ガイド部９００の拡大図であって、現像装置４００の付勢機構９４０を追記した図である。この図１４では、本体ハウジング２００へ装着された状態の現像装置４００の一部を点線で描いている。ガイドレール部６２０の底部９２１に円柱突起部４１Ｐが支持された状態で、現像装置４００は円柱突起部４１Ｐの軸回りに回動可能である。付勢機構９４０は、現像装置４００を円柱突起部４１Ｐの軸回りに時計方向に回動させて、感光体ドラム７１０に現像ローラー４２０が接近する方向に付勢するための機構である。
【００６７】
付勢機構９４０は、現像装置４００が載置される載置板９４１と、載置板９４１を回動自在に支持させる支持軸９４２と、載置板９４１の後端付近を上方に付勢する付勢バネ９４３（付勢部材）とを含む。支持軸９４２は、内部フレーム２８０に備えられた軸受け部２８２によって軸支されている。載置板９４１の前端付近には、現像ハウジング４１０を押圧する押圧部９４４が備えられている。
【００６８】
現像装置４００が本体ハウジング２００へ装着された状態においては、現像装置４００は載置板９４１によって支持される。また、付勢バネ９４３の付勢力が押圧部９４４を介して現像ハウジング４１０の前方下部の適所に作用し、現像装置４００を円柱突起部４１Ｐの軸回りに時計方向に回動させる。これにより、現像ローラー４２０の軸方向両端に装着されている図略の位置決めコロが、感光体ドラム７１０の両端の非画像形成領域に、付勢力を持って当接するようになる。このように、本実施形態によれば、円柱突起部４１Ｐを回動支点として現像装置４００を回動させることができることを利用して、感光体ドラム７１０に対する現像ローラー４２０の位置を安定させることができる。
【００６９】
次に、現像装置４００の取り外しについて説明する。ユーザーは、装着状態の現像装置４００を本体ハウジング２００から取り外す際、現像装置４００をいきなり水平方向前方へ引き出すことはできない。これは、円柱突起部４１Ｐが上下方向に延びる第１ガイド部Ｇ１に嵌り込んでおり、無理に引き出そうとしても前縁９２４に円柱突起部４１Ｐが当止することによる。このためユーザーは、現像装置４００を第１ガイド部Ｇ１に沿って一旦持ち上げる必要がある。
【００７０】
このとき、図５に示すようにトナーコンテナ３００が本体ハウジング２００に装着された状態では、現像装置４００のトナー補給口４１１がトナーコンテナ３００の筒状部３１３と干渉するので、現像装置４００を第１ガイド部Ｇ１に沿って持ち上げることができない。従って、ユーザーは、現像装置４００の取り外しに先立って、トナーコンテナ３００を後面壁２１０側から取り外さざるを得ない。上述の通り、トナーコンテナ３００を先に取り外すと、適正にトナー排出口３１９及びトナー補給口４１１が閉じられ、トナー飛散は生じない。
【００７１】
トナーコンテナ３００が先に取り外されると、ユーザーは現像装置４００を第１ガイド部Ｇ１に沿って持ち上げることができる。この際、押圧部材９３１は円柱突起部４１Ｐに押圧されて支持軸９３３の軸回りに時計方向に回動し、ガイド空間Ｇから一時的に退避する。円柱突起部４１Ｐが上縁９２３に当止するまで現像装置４００が持ち上げられると、続いてユーザーは現像装置４００を前方に向けて引き出す。この際、円柱突起部４１Ｐは第２ガイド部Ｇ２によってガイドされ、ついにはガイド空間Ｇの開口端から離れる。ガイドプレート９１０は、下縁９２５に連なり、前方に向けて下方に傾斜する傾斜部９２６を備える。ガイド空間Ｇの開口端を抜けた後、ユーザーは、円柱突起部４１Ｐを傾斜部９２６に沿ってスライドさせる態様で、現像装置４００を前面壁２２０側から引き出すことができる。現像装置４００の装着の際も同様に、傾斜部９２６を利用することができる。
【００７２】
以上説明した通り、本実施形態に係る画像形成装置１００によれば、本体ハウジング２００への装着状態において、トナーコンテナ３００は現像装置４００の上方に位置する。ガイド部９００の、第１ガイド部Ｇ１及び第２ガイド部Ｇ２によって形成される着脱経路は、現像装置４００が本体ハウジング２００から取り外される際に、現像装置４００を上方に持ち上げ、その後に前方へ向けて水平方向に向かわせる経路である。このため、現像装置４００をトナーコンテナ３００に確実に干渉させることができ、トナーコンテナ３００が本体ハウジング２００に装着された状態であるにも拘わらず、現像装置４００が本体ハウジング２００から取り出されるという事態を未然に防止することができる。従って、トナーコンテナ３００のトナー排出口からトナーが飛散し、本体ハウジング２００内乃至は画像形成装置１の周辺を汚染する不具合を未然に防ぐことができる。
【００７３】
また、円柱突起部４１Ｐが嵌め込まれるガイドレール部９２０は、底部９２１を有し上方向に延びる第１ガイド部Ｇ１と、この第１ガイド部Ｇ１に連なり前面壁２２０の方向に延びる第２ガイド部Ｇ２とからなるガイド空間Ｇを備える。このため、現像装置４００を本体ハウジング２００から取り外す際に、先ず現像装置４００を上方に持ち上げを要するという着脱経路を、簡易な構成で形成することができる。
【００７４】
以上、本発明の実施形態に係る画像形成装置１００について説明したが、本発明はこれに限定されるものではなく、例えば次のような変形実施形態を取ることができる。
【００７５】
（１）上記実施形態では、ガイド部９００による着脱経路が、現像装置４００を上方に持ち上げ、その後に水平方向に向かわせる態様であるものを例示した。これは一例であり、着脱経路の態様は任意である。現像装置４００の着脱経路に沿った取り外しの際に、現像装置４００の一部がトナーコンテナ３００の一部と干渉する限りにおいて、ガイド部９００による着脱経路は任意に設定することができる。
【００７６】
（２）上記実施形態では、ガイド部としてガイド空間Ｇを備えるガイド部９００を、非ガイド部として現像ハウジング４１０の左側面４１Ｌ及び右側面４１Ｒから突設された円柱突起部４１Ｐを例示した。これに代えて、例えば、ガイド部としての突条部を本体ハウジング２００側に設け、非ガイド部として現像ハウジング４１０側に前記突条部に嵌り込む凹部を設けるようにしても良い。
【００７７】
（３）上記実施形態では、現像装置４００が本体ハウジング２００の前面壁２２０から、トナーコンテナ３００が後面壁２１０から着脱される例を示した。このように、本体ハウジング２００の互いに対向する面から両者を着脱させる必要は無く、例えばトナーコンテナ３００を本体ハウジング２００の天面から着脱される構成としてもよい。
【符号の説明】
【００７８】
１００  画像形成装置
２００  本体ハウジング
２１０  後面壁（第２面）
２２０  前面壁（第１面）
２３０  左面壁（第３面）
２４０  右面壁（第４面）
３００  トナーコンテナ（現像剤収容容器）
３１０  コンテナ本体（容器本体）
３１９  トナー排出口（排出口）
３２０  回転部材
４００  現像装置
４１０  現像ハウジング
４１Ｌ、４１Ｒ  左側面及び右側面（第３面及び第４面と各々対向する側面）
４１Ｐ  円柱突起部（現像装置の一部；突起部）
４１１  トナー補給口（受入口）
４２０  現像ローラー
７００  画像形成部
７１０  感光体ドラム（像担持体）
９００  ガイド部
９２０  ガイドレール部（ガイドレール）
９２１  底部
９３０  押圧機構
９３１  押圧部材
９４０  付勢機構
９４３  付勢バネ（付勢部材）
Ｇ  ガイド空間（着脱経路）
Ｇ１  第１ガイド部
Ｇ２  第２ガイド部
【図１】
2014157244.tif 000003
【図２】
2014157244.tif 000004
【図３】
2014157244.tif 000005
【図４】
2014157244.tif 000006
【図５】
2014157244.tif 000007
【図６】
2014157244.tif 000008
【図７】
2014157244.tif 000009
【図８】
2014157244.tif 000010
【図９】
2014157244.tif 000011
【図１０】
2014157244.tif 000012
【図１１】
2014157244.tif 000013
【図１２】
2014157244.tif 000014
【図１３】
2014157244.tif 000015
【図１４】
2014157244.tif 000016